(57)【特許請求の範囲】
【請求項１】
内容物が貯蔵された長尺状の第１本体と、
前記第１本体の長手方向の下部に取り付けられた第２本体と、
前記第１本体の長手方向の上部に取り付けられ、内部に前記内容物を案内する案内流路を有するポンプ本体と、
前記ポンプ本体の上部端部に設けられ、前記ポンプ本体内の前記案内流路に沿って移動する前記内容物を前記第１本体の外部へ放出するように吐出口と、
押しボタンに圧力を加えることにより、内容物の流路を選択的に開閉させ、前記第１本体の内側に設けられたシリンダーの内部に流入した前記内容物を前記第１本体の外部へ排出することが可能な開閉手段と、
前記第２本体の内部に設けられた温度調節部と、
前記第２本体の内部に取り付けられた電源部と、
前記第１本体に対向する側とは反対の、前記第２本体の下部端部に取り付けられ、前記電源部から印加された電源によって発熱し、前記温度調節部によって発熱温度が調節される発熱部と、
を備え、
前記発熱部は、
前記電源部から印加された電源によって熱を放出する発熱コイルと、
前記発熱コイルを支持するように前記第２本体に取り付けられたコイル支持部と、
前記発熱コイルを覆うように前記第２本体の下部端部の外側に形成され、前記発熱コイルから放出された熱を皮膚に伝達する皮膚接触部と、を含むことを特徴とする、皮膚美容容器。
【請求項２】
前記皮膚接触部が金属物質または熱伝導性樹脂から形成されたことを特徴とする、請求項１に記載の皮膚美容容器。
【発明の詳細な説明】
【技術分野】
【０００１】
本発明は、皮膚美容容器に係り、さらに詳しくは、エアレスタイプの容器の下部に発熱マッサージ機能を付加することにより、皮膚美容原料の塗布された部位を柔らかくマッサージすることができる、発熱マッサージ機能を有する皮膚美容容器に関する。
【背景技術】
【０００２】
一般に、マッサージ（ｍａｓｓａｇｅ）は、不眠症、うつ病または睡眠不足などの治療に役立てるうえ、ストレスと筋肉の疲労および疼痛を和らげる機能を有すると知られている。このようなマッサージは、もともとマッサージを専門で研究するマッサージ師から始まったが、現在は身体部位別または用途に応じて様々に開発されたマッサージ装置によっても行われ得る。
【０００３】
前記マッサージ装置の一例が韓国登録特許第１０−０４５８１５０号（以下、「先行文献１」という）および韓国公開特許第２００１−００１７１２８号（以下、「先行文献２」という）に開示されている。前記先行文献１に開示された発明は、製造工程が簡便で故障のおそれがない温灸機用基本単位体、およびこれを用いた温熱治療用温灸機に関する。前記温灸機用基本単位体は、各部品を内蔵し、受け台を含む胴体部と、前記受け台に据え付けられ、外部の電気エネルギーによって高温の熱を発生させる熱供給板と、前記熱供給板の上面に位置し、熱供給板の高温熱の伝達を受けてユーザの身体へ供給することにより温罨機能を行う温罨部材と、支持孔を有し、前記支持孔の内部に温罨部材を支持し、前記胴体部に結合する蓋部とを含んでなる。ところが、前記先行文献１に開示された技術は、携帯して使用することが不便であり、温度調節が容易でないため使用中に火傷のおそれがあるという欠点を有する。
【０００４】
一方、前記先行文献２に開示された装置は、従来のマッサージ機を改良したものであって、半導体熱交換素子の一側面に熱伝導板とセラミックパッドを取り付け、他の一側面に冷却水タンクを取り付け、半導体熱交換素子の電源入力線と並列に電源極性切換スイッチ回路を連結し、電源極性切換スイッチに電気極性切換プログラム回路の出力を連結し、半導体熱交換素子の電源入力に直列に突入電流制限素子を連結し、電源オン／オフ（ＯＮ−ＯＦＦ）リレースイッチを連結し、電源オン／オフリレースイッチに電気極性切換プログラム回路の出力と、プラス温度上限値制御回路およびマイナス温度上限値制御回路を連結して構成する。
【０００５】
ところが、前記先行文献２に開示された装置は、携帯して使用することが不便であり、マッサージオイルまたは皮膚に効果的な化粧料を塗ることが不便であるという欠点を有する。
【発明の概要】
【発明が解決しようとする課題】
【０００６】
本発明は、上述したような問題点を解決するためになされたもので、その目的は、装置のサイズおよび構成を単純化させることにより、従来の技術と比較して携帯することが便利であり、皮膚美容原料の収容が可能な空間を設けることにより、オイルを便利に使用することができる、発熱マッサージ機能を有する皮膚美容容器を提供することにある。
【課題を解決するための手段】
【０００７】
上記目的を達成するために、本発明の実施形態に係る発熱マッサージ機能を有する皮膚美容容器によれば、 内容物が貯蔵された第１本体の上部に取り付けられたポンプ本体上に設けられ、前記ポンプ本体内の案内流路に沿って移動する前記内容物を前記第１本体の外部へ放出するように吐出口を備え、押しボタンに圧力を加えることにより、内容物の流路を選択的に開閉させ、前記第１本体の内側に設けられたシリンダーの内部に流入した前記内容物を前記第１本体の外部へ排出することが可能な開閉手段を備える皮膚美容容器において、前記第１本体の下部に取り付けられ、温度調節部が内蔵された第２本体と、前記第２本体の内側に取り付けられた電源部と、前記第２本体の端部に取り付けられ、前記電源部から印加された電源によって発熱し、前記温度調節部によって発熱温度が調節される発熱部とを備えることを特徴とする。
【０００８】
また、本発明の実施形態に係る発熱マッサージ機能を有する皮膚美容容器によれば、前記発熱部は、前記電源部から印加された電源によって熱を放出する発熱コイルと、前記発熱コイルを支持するように前記第２本体に取り付けられたコイル支持部と、前記発熱コイルを覆うように形成され、前記発熱コイルから放出された熱を皮膚に伝達するための皮膚接触部とを備えることを特徴とする。
【０００９】
また、本発明の実施形態に係る発熱マッサージ機能を有する皮膚美容容器によれば、前記皮膚接触部は金属物質または熱伝導性樹脂から形成されたことを特徴とする。
【発明の効果】
【００１０】
上述したように、本発明に係る発熱マッサージ機能を有する皮膚美容容器によれば、装置のサイズおよび構成を単純化させることにより従来の技術に比較して携帯が便利となり、皮膚美容原料の収容が可能な空間を設けることにより、便利にオイルを使用することができる。
【図面の簡単な説明】
【００１１】
【図１】本発明の実施形態に係る発熱マッサージ機能を有する皮膚美容容器を示す斜視図である。
【図２】本発明の実施形態に係る発熱マッサージ機能を有する皮膚美容容器を示す断面図である。
【図３】本発明の実施形態に係る皮膚美容容器に採用された発熱マッサージ部を概略的に示す図である。
【発明を実施するための形態】
【００１２】
本発明の上記およびその他の目的と新しい特徴は、本明細書の記述および添付図面によってさらに明らかになるであろう。
【００１３】
以下、図１〜図３を参照して、本発明の実施形態に係る発熱マッサージ機能を有する皮膚美容容器の構成を詳細に説明する。
【００１４】
図１は本発明の実施形態に係る発熱マッサージ機能を有する皮膚美容容器を示す斜視図、図２は本発明の実施形態に係る発熱マッサージ機能を有する皮膚美容容器を示す断面図、図３は本発明の実施形態に係る皮膚美容容器に採用された発熱マッサージ部を概略的に示す図である。
【００１５】
図１および図２を参照すると、本発明の皮膚美容容器１００は、第１本体１１、および前記第１本体１１の下部に取り付けられた第２本体１３を含んでなる。前記第１本体１１は、内容物、例えば液状またはゲル状の化粧料のような内容物を貯蔵するための貯蔵空間を備える。前記第１本体１１の上部には、内容物を第１本体１１の上部から吐き出すためのポンプ本体１５が取り付けられている。前記ポンプ本体１５の内壁には、ポンプ本体１５と一体に形成された固定ガイド部１７が位置する。
【００１６】
前記ポンプ本体１５上に押しボタン１９が位置する。前記押しボタン１９は、ポンプ本体１５の内側に位置する案内管２１の案内流路２３に沿って移動する内容物を外部へ放出する吐出口２５を備え、前記吐出口２５の端部には、内容物を容器の外部へ放出するためのパッド２６が取り付けられている。前記押しボタン１９は、押しボタン１９の底面から突出して案内流路２３の一部分を取り囲む突出部２７を備える。よって、前記皮膚美容容器１００は、押しボタン１９に圧力を加えることにより、吐出口２５を介して内容物を第１本体１１の外部へ放出することができる。
【００１７】
前記案内管２１は、案内流路２３および吐出口２５を連通させるように押しボタン１９の下部に連結される。前記案内管２１は、ポンプ本体１５の内側に位置するシリンダー２９の内部で垂直方向に移動する。前記案内管２１は、押しボタン１９に加えられる圧力に応じて、その一部がシリンダー２９の内部で垂直方向に動くことが好ましい。前記押しボタン１９に圧力が加えられる場合には、シリンダー２９の内部に貯蔵された内容物が吐出口２５を介して放出される。
【００１８】
前記シリンダー２９は、ポンプ本体１５の内側に位置するように固定ガイド部１７に取り付けられる。前記シリンダー２９は、固定ガイド部１７に嵌め込まれて固定されることが好ましい。前記シリンダー２９は、容器内側に位置するシリンダー２９の端部に行くほど狭くなることが好ましい。前記シリンダー２９の内側には案内ピストン３１、第１弾性手段３３および開閉手段３５が位置している。
【００１９】
前記案内ピストン３１は、シリンダー２９の内側においてその一部分が案内管２１の内部に位置している。前記案内ピストン３１は、案内管２１の動きと同様に動くことが好ましい。前記案内ピストン３１は、押しボタン１９に加えられる圧力によってシリンダー２９の下部内側に位置する開閉手段３５を動作させる第１弾性手段３３を制御する。前記第１弾性手段３３は、案内ピストン３１と、シリンダー２９の端部内側に位置する開閉手段３５との間に介在する。前記第１弾性手段３３はスプリングであることが好ましい。前記開閉手段３５はボールタイプであることが好ましい。
【００２０】
前記案内ピストン３１の他の部分、すなわち前記案内管２１の外部に位置した案内ピストン３１は、密閉ピストン３７で取り囲まれる。前記密閉ピストン３７は、容器の内容物がシリンダー２９の外部に漏れるのを防止する役割を果たす。前記密閉ピストン３７の外側には第２弾性手段３９が取り囲まれている。前記押しボタン１９に圧力が加えられる場合、前記第２弾性手段３９は、シリンダー２９の内側に位置する案内管２１の端部によって圧縮される。前記第２弾性手段３９は、第１弾性手段３３とは異なる弾性力を有するスプリングから形成することが好ましい。
【００２１】
図２および図３を参照すると、本発明の皮膚美容容器１００に取り付けられた第２本体１３の内部には収容空間が設けられており、該収容空間には電源部４１、温度調節部４３および発熱部４５が収まる。前記電源部４１は通常の１次電池または２次電池を用いて構成できる。前記温度調節部４３は、可変抵抗、バイメタルまたはレギュレータなどを用いて発熱部４５の温度を調節する。
【００２２】
前記発熱部４５は、第２本体１３の端部に取り付けられ、電源部４１から印加された電源によって発熱する。前記発熱部４５は、電源部４１から印加された電源によって熱を放出する発熱コイル４７と、前記発熱部４７を支持するように第２本体１３に取り付けられたコイル支持部４９と、前記発熱コイル４７を覆うように形成され、発熱コイル４７からの放出熱を皮膚に伝達するための皮膚接触部５１とを備える。
【００２３】
前記発熱コイル４７は、ジグザグ方式またはラウンド方式などのようにさまざまな方式で配置されて、皮膚接触部51に熱を均一に伝達できる。
【００２４】
前記皮膚接触部５１は、熱伝導性金属または合金、例えば、鉄またはステンレス鋼またはその合金、アルミニウムまたはその合金、銅、銀、金またはそれらの合金を用いて形成することができ、熱伝導性樹脂、例えばシリコン樹脂に充填材として熱伝導性炭素繊維を混合し、或いはシリコン樹脂に熱伝導性に優れるアルミニウム、酸化アルミニウム、窒化ホウ素、窒化アルミニウム、酸化マグネシウム、炭化ケイ素、導電性カーボンブラックまたは銅粉末を混合して形成することができる。前記第２本体１３の外側には、発熱コイル４７に印加される電源のオン／オフを制御するスイッチ部５３が設けられている。よって、前記皮膚美容容器１００は、ユーザのニーズに答えて発熱コイル４７の温度を速く昇温し、或いは発熱コイル４７の温度を調節することにより、所望の部位をマッサージすることができる。
【００２５】
以上、本発明者によって考案された発明を前記実施形態によって具体的に説明したが、本発明は、前記実施形態に限定されるものではなく、その要旨から逸脱することなく様々な変更を加え得るのは勿論である。
【符号の説明】
【００２６】
１１    第１本体
１３    第２本体
１５    ポンプ本体
１７    固定ガイド部
１９    押しボタン
２１    案内管
２５    吐出口
２９    シリンダー
３１    案内ピストン
３３    第１弾性手段
３５    開閉手段
３７    密閉ピストン
３９    第２弾性手段
４１    電源部
４３    温度調節部
４５    発熱部
４７    発熱コイル
４９    コイル支持部
５１    皮膚接触部
５３    スイッチ部
１００    皮膚美容容器
【図１】
0005830613.tif 000002
【図２】
0005830613.tif 000003
【図３】
0005830613.tif 000004